(57)【特許請求の範囲】
【請求項１】
複数の通信サービスシステムによって構成されるセルの何れかを選択し、該選択されたセル内の移動局に対して移動通信サービスを提供する移動通信サービス提供方法において、
前記通信サービスシステムは、自システムと通信を開始しようとしている移動局から通知される通信開始要求に含まれる自システム及び別システムが構成するセルの品質情報を取得した際に、該自システムが構成するセルの選択を試み、
前記自システムが構成するセルが選択不能な場合に、別システムによって構成されるセルの品質情報に基づいて、該別システムによって構成されるセルの選択を試みるようにした移動通信サービス提供方法。
【請求項２】
請求項１に記載の移動通信サービス提供方法において、
前記通信サービスシステムは、自システムと通信を開始しようとしている移動局から通知される通信開始要求に含まれる自システムが構成するセルの品質情報を取得し、
該取得した自システムが構成するセルの品質情報に基づいて、該自システムが構成するセルの選択を試み、前記自システムが構成するセルが選択不能な場合に、前記移動局に対して別システムによって構成されるセルの品質情報を要求して、該移動局から通知される別システムによって構成されるセルの品質情報を取得し、前記取得した別システムによって構成されるセルの品質情報に基づいて、該別システムによって構成されるセルの選択を試みるようにした移動通信サービス提供方法。
【請求項３】
請求項１又は２に記載の移動通信サービス提供方法において、
前記セルの品質情報は、前記移動局における該セルに対応する受信レベル測定用チャネルの受信レベルである移動通信サービス提供方法。
【請求項４】
複数の通信サービスシステムを有し、前記各通信サービスシステムによって構成されるセルの何れかを選択し、該選択されたセル内の移動局に対して移動通信サービスを提供する通信ネットワークにおいて、
前記通信サービスシステムは、自システムと通信を開始しようとしている移動局から通知される通信開始要求に含まれる自システム及び別システムが構成するセルの品質情報を取得した際に、該自システムが構成するセルの選択を試みる自システムセル選択手段と、
前記自システムセル選択手段により前記自システムが構成するセルが選択不能な場合に、別システムによって構成されるセルの品質情報に基づいて、該別システムによって構成されるセルの選択を試みる別システムセル選択手段と、
を備える通信ネットワーク。
【請求項５】
請求項４に記載の通信ネットワークにおいて、
前記通信サービスシステムは、自システムと通信を開始しようとしている移動局から通知される通信開始要求に含まれる自システムが構成するセルの品質情報を取得する自システムセル品質情報取得手段と、
前記自システムセル選択手段により前記自システムが構成するセルが選択不能な場合に、前記移動局に対して別システムによって構成されるセルの品質情報を要求して、該移動局から通知される別システムによって構成されるセルの品質情報を取得する別システムセル品質情報取得手段と、
を備える通信ネットワーク。
【請求項６】
通信ネットワークを構成する複数の通信サービスシステムのそれぞれに構成され、自システムと移動局との通信を制御する通信制御装置において、
自システムと通信を開始しようとしている移動局から通知される通信開始要求に含まれる自システム及び別システムが構成するセルの品質情報を取得した際に、該自システムが構成するセルの選択を試みる自システムセル選択手段と、
前記自システムセル選択手段により前記自システムが構成するセルが選択不能な場合に、別システムによって構成されるセルの品質情報に基づいて、該別システムによって構成されるセルの選択を試みる別システムセル選択手段と、
を備える通信制御装置。
【請求項７】
請求項６に記載の通信制御装置において、
自システムと通信を開始しようとしている移動局から通知される通信開始要求に含まれる自システムが構成するセルの品質情報を取得する自システムセル品質情報取得手段と、
前記自システムセル選択手段により前記自システムが構成するセルが選択不能な場合に、前記移動局に対して別システムによって構成されるセルの品質情報を要求して、該移動局から通知される別システムによって構成されるセルの品質情報を取得する別システムセル品質情報取得手段と、
を備える通信制御装置。
【請求項８】
複数の通信サービスシステムを有する通信ネットワークが提供する前記各通信サービスシステムに対応する移動通信サービスを選択的に利用する移動局において、
自局が通信を開始しようとしている通信サービスシステムが構成するセルの品質情報を取得する第１のセル品質情報取得手段と、
前記第１の品質情報取得手段によって取得されたセルの品質情報を通信開始手順の際の通信開始要求に含めて前記通信ネットワークへ送信する第１のセル品質情報送信手段と、
前記通信ネットワークから自局が利用していない移動通信サービスを提供する通信サービスシステムが構成するセルの品質情報を要求された場合に、当該セルの品質情報を取得する第２のセル品質情報取得手段と、
前記第２の品質情報取得手段によって取得されたセルの品質情報を前記通信ネットワークへ送信する第２のセル品質情報送信手段と、
を備える移動局。
【発明の詳細な説明】
【０００１】
【発明の属する技術分野】
本発明は、複数の通信サービスシステムを有する通信ネットワークにて、前記各通信サービスシステムによって構成されるセルの何れか選択し、該選択されたセル内の移動局に対して移動通信サービスを提供する移動通信サービス提供方法に関する。
【０００２】
【従来の技術】
現在日本で商用サービスが提供されているセルラ方式の通信システムの代表的な例として、デジタル自動車電話方式（ＰＤＣ：Ｐｅｒｓｏｎａｌ  Ｄｉｇｉｔａｌ  Ｃｅｌｌｕｌａｒ  ）の８００ＭＨｚ帯域システムと１．５ＧＨｚ帯域システムとがある。
【０００３】
このＰＤＣの運用形態としては、８００ＭＨｚ帯域システムと１．５ＧＨｚ帯域システムとが独立に運用される形態が一般的であるが、通信チャネルの利用効率を向上させるために、８００ＭＨｚ帯域システム及び１．５ＧＨｚ帯域システムは、自システムが提供する移動通信サービスを利用して待ち受け状態あるいは通信状態にある移動局に対して、別システムのセルを選択して通信チャネルを割り当てることも可能である。
【０００４】
このような移動通信方式を実現する通信ネットワークとして、１の移動通信サービスを提供するシステムＡと、別の移動通信サービスを提供するシステムＢとを有する通信ネットワークを想定し、移動局が利用する移動通信サービスの提供元のシステムが切り替わる場合におけるセルの選択手順を説明する。
【０００５】
例えば、移動局がシステムＡによる移動通信サービスを利用している場合、当該移動局は、システムＡ内の基地局に対して通信開始要求信号を送信する。この通信開始要求信号には、移動局が予め測定していたシステムＡ内の基地局のセルの品質情報と、移動局が通信開始要求の送信に際して測定したシステムＢ内の基地局のセルの品質情報とが含まれる。
【０００６】
具体的には、セル品質情報は、移動局が利用している移動通信サービスの提供元である通信サービスシステム（ここではシステムＡが該当する）によって構成されるセル毎に、当該セルの識別情報としてのセルコード（利用中セルコード）と、当該セルに送出されている信号である受信レベル測定用チャネルの移動局における受信レベル（利用中セル受信レベル）とが含まれるとともに、移動局が利用していない移動通信サービスの提供元である通信サービスシステム（ここではシステムＢが該当する）によって構成されるセルについて、当該セルの識別情報としてのセルコード（非利用中セルコード）と、当該セルに送出されている受信レベル測定用チャネルの移動局における受信レベル（非利用中セル受信レベル）とにより構成される。
【０００７】
システムＡの基地局は、移動局からの通信開始要求信号を受信すると、この通信開始要求信号を、システムＡ内に構成され、システムＡと移動局との通信を制御する制御装置へ転送する。
【０００８】
システムＡ内の制御装置は、転送された通信開始要求信号に含まれるセル品質情報に基づいて、移動局における受信レベル測定用チャネルの受信レベルが高い順に、通信チャネルの設定が可能であるか否かを判定し、可能であれば、そのセルを選択する。
【０００９】
図１は、制御装置に構成されるセル選択処理部の構成例を示す図である。セル品質情報入力インターフェース部１０１は、移動局から基地局を介して送信される通信開始要求信号に含まれるセル品質情報を入力し、セル選択部１０３に出力するとともに、当該セル品質情報に含まれるセルコードをセルコードバッファ部１０２に出力する。
【００１０】
セルコードバッファ部１０２は、入力したセルコードを一時的に格納する。セル選択部１０３は、入力したセル品質情報に基づいて、自システム及び別システムを区別することなく、移動局における受信レベル測定用チャネルの受信レベルが高い順に、通信チャネルの設定が可能であるか否かを判定し、可能であれば、そのセルを選択し、選択結果をセルコードフィルタ部１０４へ出力する。
【００１１】
セルコードフィルタ部１０４は、セル選択部１０３によるセルの選択結果に基づいて、選択されたセルのセルコードをセルコードバッファ部１０２から読み出し、選択セルコード出力インターフェース部１０５へ出力する。選択セルコード出力インターフェース部１０５は、セル選択部１０３によって選択されたセルがシステムＢのセルであれば、入力したセルコードを通信開始準備要求信号とともに、システムＢ内に構成され、システムＢと移動局との通信を制御する制御装置に対して、送信する。
【００１２】
システムＢ内の制御装置は、受信したセルコードに対応するシステムＢ内の基地局に対して、通信開始準備要求信号を送信し、通信開始準備が完了すると、その旨をシステムＡ内の制御装置へ送信する。
【００１３】
システムＡ内の制御装置は、通信開始要求信号を転送した基地局を介し、移動局に対して、通信開始応答信号を送信するとともに、選択したセルのセルコードを送信する。その後、移動局と、選択されたセルに対応するシステムＢ内の基地局との間で、同期確立等の所定の通信開始手順が行われ、通信が開始される。
【００１４】
【発明が解決しようとする課題】
しかしながら、上述したセルの選択手順では、システム内の制御装置は、自システム及び別システムを区別することなく、品質の高いセルから順に選択するため、比較的高い頻度で移動局が利用する移動通信サービスの提供元のシステムが切り替わる。このため、システムが切り替わる際の通信開始手順に伴い、移動局に負荷がかかってバッテリーの持続時間が短縮したり、システム間でやり取りされる信号数が増大してシステム容量の圧迫が生じやすくなるという問題があった。
【００１５】
本発明は、上記問題点を解決するものであり、その目的は、移動局及び通信ネットワークの負荷を軽減した移動通信サービス提供方法、通信ネットワーク及び通信制御装置を提供することにある。
【００１６】
【課題を解決するための手段】
上記の目的を達成するため、本発明は請求項１に記載されるように、複数の通信サービスシステムによって構成されるセルの何れかを選択し、該選択されたセル内の移動局に対して移動通信サービスを提供する移動通信サービス提供方法において、前記通信サービスシステムは、自システムと通信を開始しようとしている移動局から通知される通信開始要求に含まれる自システム及び別システムが構成するセルの品質情報を取得した際に、該自システムが構成するセルの選択を試み、前記自システムが構成するセルが選択不能な場合に、別システムによって構成されるセルの品質情報に基づいて、該別システムによって構成されるセルの選択を試みるようにした。
【００１７】
このような移動通信サービス提供方法では、移動局に移動通信サービスを提供中の通信サービスシステムによって構成されるセルの方が移動局に移動通信サービスを提供していない通信サービスシステムによって構成されるセルよりも優先的に選択されるため、移動局が利用する移動通信サービスの提供元のシステムが切り替わる頻度が従来よりも減少する。即ち、システムが切り替わる際の通信開始手順に伴い、移動局に負荷がかかってバッテリーの持続時間が短縮したり、システム間でやり取りされる信号数が増大してシステム容量の圧迫が生じる頻度が減少し、移動局及び通信ネットワークの負荷を軽減することができる。
【００１８】
また、本発明は請求項２に記載されるように、前記移動通信サービス提供方法において、前記通信サービスシステムは、自システムと通信を開始しようとしている移動局から通知される通信開始要求に含まれる自システムが構成するセルの品質情報を取得し、該取得した自システムが構成するセルの品質情報に基づいて、該自システムが構成するセルの選択を試み、前記自システムが構成するセルが選択不能な場合に、前記移動局に対して別システムによって構成されるセルの品質情報を要求して、該移動局から通知される別システムによって構成されるセルの品質情報を取得し、前記取得した別システムによって構成されるセルの品質情報に基づいて、該別システムによって構成されるセルの選択を試みるようにした。
【００１９】
この場合には、移動局に移動通信サービスを提供中の通信サービスシステムは、自システムが構成するセルが選択不能な場合に、初めて移動局に対して別システムによって構成されるセルの品質情報を要求し、移動局はその要求があった場合にのみ、別システムによって構成されるセルの品質情報の取得して送信するようにすることができるため、移動局におけるセルの品質情報の取得のための処理負担の軽減を図ることができる。
【００２０】
また、本発明は請求項３に記載されるように、前記移動通信サービス提供方法において、前記セルの品質情報は、前記移動局における該セルに対応する受信レベル測定用チャネルの受信レベルであるようにした。
【００２１】
このように、セルの品質情報を移動局における該セルに対応する受信レベル測定用チャネルの受信レベルとすることにより、セルの品質を的確に表すことが可能になる。
【００２２】
また、上記の目的を達成するため、本発明は請求項４に記載されるように、複数の通信サービスシステムを有し、前記各通信サービスシステムによって構成されるセルの何れかを選択し、該選択されたセル内の移動局に対して移動通信サービスを提供する通信ネットワークにおいて、前記通信サービスシステムは、自システムと通信を開始しようとしている移動局から通知される通信開始要求に含まれる自システム及び別システムが構成するセルの品質情報を取得した際に、該自システムが構成するセルの選択を試みる自システムセル選択手段と、前記自システムセル選択手段により前記自システムが構成するセルが選択不能な場合に、別システムによって構成されるセルの品質情報に基づいて、該別システムによって構成されるセルの選択を試みる別システムセル選択手段と、
を備える。
【００２３】
このような通信ネットワークでは、請求項１に記載された発明と同様、移動局に移動通信サービスを提供中の通信サービスシステムによって構成されるセルの方が移動局に移動通信サービスを提供していない通信サービスシステムによって構成されるセルよりも優先的に選択されるため、移動局が利用する移動通信サービスの提供元のシステムが切り替わる頻度が従来よりも減少する。即ち、システムが切り替わる際の通信開始手順に伴い、移動局に負荷がかかってバッテリーの持続時間が短縮したり、システム間でやり取りされる信号数が増大してシステム容量の圧迫が生じる頻度が減少し、移動局及び通信ネットワークの負荷を軽減することができる。
【００２４】
また、本発明は請求項５に記載されるように、前記通信ネットワークにおいて、前記通信サービスシステムは、自システムと通信を開始しようとしている移動局から通知される通信開始要求に含まれる自システムが構成するセルの品質情報を取得する自システムセル品質情報取得手段と、前記自システムセル選択手段により前記自システムが構成するセルが選択不能な場合に、前記移動局に対して別システムによって構成されるセルの品質情報を要求して、該移動局から通知される別システムによって構成されるセルの品質情報を取得する別システムセル品質情報取得手段と、を備える
【００２５】
この場合には、請求項２に記載された発明と同様、移動局に移動通信サービスを提供中の通信サービスシステムは、自システムが構成するセルが選択不能な場合に、初めて移動局に対して別システムによって構成されるセルの品質情報を要求し、移動局はその要求があった場合にのみ、別システムによって構成されるセルの品質情報の取得して送信するようにすることができるため、移動局におけるセルの品質情報の取得のための処理負担の軽減を図ることができる。
【００２６】
また、上記の目的を達成するため、本発明は請求項６に記載されるように、通信ネットワークを構成する複数の通信サービスシステムのそれぞれに構成され、自システムと移動局との通信を制御する通信制御装置において、自システムと通信を開始しようとしている移動局から通知される通信開始要求に含まれる自システム及び別システムが構成するセルの品質情報を取得した際に、該自システムが構成するセルの選択を試みる自システムセル選択手段と、前記自システムセル選択手段により前記自システムが構成するセルが選択不能な場合に、別システムによって構成されるセルの品質情報に基づいて、該別システムによって構成されるセルの選択を試みる別システムセル選択手段と、を備える。
【００２７】
このような通信制御装置では、請求項１に記載された発明と同様、移動局に移動通信サービスを提供中の通信サービスシステムによって構成されるセルの方が移動局に移動通信サービスを提供していない通信サービスシステムによって構成されるセルよりも優先的に選択されるため、移動局が利用する移動通信サービスの提供元のシステムが切り替わる頻度が従来よりも減少する。即ち、システムが切り替わる際の通信開始手順に伴い、移動局に負荷がかかってバッテリーの持続時間が短縮したり、システム間でやり取りされる信号数が増大してシステム容量の圧迫が生じる頻度が減少し、移動局及び通信ネットワークの負荷を軽減することができる。
【００２８】
また、本発明は請求項７に記載されるように、前記通信制御装置において、自システムと通信を開始しようとしている移動局から通知される通信開始要求に含まれる自システムが構成するセルの品質情報を取得する自システムセル品質情報取得手段と、前記自システムセル選択手段により前記自システムが構成するセルが選択不能な場合に、前記移動局に対して別システムによって構成されるセルの品質情報を要求して、該移動局から通知される別システムによって構成されるセルの品質情報を取得する別システムセル品質情報取得手段と、を備える。
【００２９】
この場合には、請求項２に記載された発明と同様、移動局に移動通信サービスを提供中の通信サービスシステムは、自システムが構成するセルが選択不能な場合に、初めて移動局に対して別システムによって構成されるセルの品質情報を要求し、移動局はその要求があった場合にのみ、別システムによって構成されるセルの品質情報の取得して送信するようにすることができるため、移動局におけるセルの品質情報の取得のための処理負担の軽減を図ることができる。
【００３０】
また、上記の目的を達成するため、本発明は請求項８に記載されるように、複数の通信サービスシステムを有する通信ネットワークが提供する前記各通信サービスシステムに対応する移動通信サービスを選択的に利用する移動局において、自局が通信を開始しようとしている通信サービスシステムが構成するセルの品質情報を取得する第１のセル品質情報取得手段と、前記第１の品質情報取得手段によって取得されたセルの品質情報を通信開始手順の際の通信開始要求に含めて前記通信ネットワークへ送信する第１のセル品質情報送信手段と、前記通信ネットワークから自局が利用していない移動通信サービスを提供する通信サービスシステムが構成するセルの品質情報を要求された場合に、当該セルの品質情報を取得する第２のセル品質情報取得手段と、前記第２の品質情報取得手段によって取得されたセルの品質情報を前記通信ネットワークへ送信する第２のセル品質情報送信手段と、を備える。
【００３１】
このような移動局では、通信ネットワークが当該移動局によって利用されていない移動通信サービスを提供する通信サービスシステムによって構成されるセルの品質情報を要求した場合にのみ、そのセルの品質情報を取得して送信するようにするため、移動局におけるセルの品質情報の取得のための処理負担の軽減を図ることができる。
【００３２】
【発明の実施の形態】
以下、本発明の実施の形態を図面に基づいて説明する。図２は、本発明の実施の形態に係る移動通信システムの構成例を示す図である。同図に示す移動通信システム２００は、移動局２０３と、該移動局２０３に対して複数の移動通信サービスを選択的に提供する通信ネットワーク２２０とにより構成される。
【００３３】
通信ネットワーク２２０は、サービスエリア２０１内の移動局と通信を行うシステムＡ基地局２０４と、サービスエリア２０２内の移動局と通信を行うシステムＢ基地局２０５と、システムＡ基地局２０４に接続され、所定の通信制御を行うシステムＡ制御装置２０６と、システムＡ基地局２０４に接続され、所定の通信制御を行うシステムＢ制御装置２０７と、システムＡ制御装置２０６及びシステムＢ制御装置２０７に接続され、通信時に所定の交換動作を行う交換局２１２と、システムＡ基地局２０４及び交換局２１２に接続され、所定の音声処理を行うシステムＡ音声処理装置２１０と、システムＢ基地局２０５及び交換局２１２に接続され、所定の音声処理を行うシステムＢ音声処理装置２１１とを備える。これらのうち、システムＡ基地局２０４、システムＡ制御装置２０６及びシステムＡ音声処理装置２１０により、１の移動通信サービスを提供する通信サービスシステムとしてのシステムＡが構成され、システムＢ基地局２０５、システムＢ制御装置２０７及びシステムＢ音声処理装置２１１により、別の移動通信サービスを提供する通信サービスシステムとしてのシステムＢが構成される。
【００３４】
また、同図に示す各構成要素を結ぶ実線部は音声データ等の通信信号の伝送路を示し、破線部は制御信号の伝送路を示す。なお、図２の移動通信システムは、本発明を説明する上で必要な構成要素のみを示した簡略的なものであり、実際には移動局、基地局、交換局及び音声処理装置は複数存在し、例えばセルラ方式では、サービスエリアは基地局に対応したセルに分割されているのが一般的である。
【００３５】
この移動通信システム２００では、通信ネットワーク２２０は、システムＡ及びシステムＢによって構成されるセルの何れかを選択し、その選択されたセル内の移動局２０３に対して移動通信サービスを提供する。この際、移動局２０３に対して移動通信サービスを提供中の通信ネットワーク２２０内のシステムは、移動局２０３から通知される自システムが構成するセルの品質情報に基づいて、該自システムが構成するセルの選択を試み、自システムが構成するセルが選択不能な場合に、移動局２０３から通知される別システムによって構成されるセルの品質情報に基づいて、該別システムによって構成されるセルの選択を試みる。
【００３６】
以下、移動局が利用中の移動通信サービスを提供するシステムによって構成されるセルの品質情報と、利用していない移動通信サービスを提供するシステムによって構成されるセルの品質情報との双方を同時に取得する第１実施例について説明するとともに、移動局が利用中の移動通信サービスを提供するシステムによって構成されるセルの品質情報を取得し、システムから要求があった場合に、更に利用していない移動通信サービスを提供するシステムによって構成されるセルの品質情報を取得する第２実施例について説明する。なお、移動局２０３は、当初システムＡが提供する移動通信サービスを受けているものとする。
（第１実施例）
図３は、移動局２０３の構成例を示す図である。同図に示すように、移動局２０３は、システムＡと通信を行うためのアンテナ３０１と、システムＢと通信を行うためのアンテナ３０２と、システムＡとの間で送受信される信号を変復調及び符復号するための無線機回路３０３と、システムＢとの間で送受信される信号を変復調及び符復号するための無線機回路３０４と、通信相手をシステムＡ及びシステムＢの何れかに切り替えるスイッチ３０５と、ダイヤル等の操作部（図示せず）に接続され、各種通信制御を行う制御回路３０６とを備える。
【００３７】
ここで、移動局２０３は、システムＡとシステムＢが異なる周波数帯を利用する場合を想定して、２つのアンテナ３０１、３０２が備えているが、システムＡとシステムＢが同一の周波数帯を利用する場合には、１つのアンテナを備えるだけでよい。
【００３８】
また、移動局２０３は、システムＡとシステムＢが異なる変復調方式又は符復号方式を利用する場合を想定して、２つの無線機回路３０３、３０４を備えているが、システムＡとシステムＢが同一の変復調方式又は符復号方式を利用する場合には、１つの無線機回路を備えるだけでよい。
【００３９】
なお、図３に示す各構成要素を結ぶ実線部は、音声情報等の通信信号の伝送路を示し、破線部は制御信号の伝送路を示す。
【００４０】
制御回路３０６は、利用者による操作部の操作等に応じて、スイッチ３０５を切り替える制御を行う。スイッチ３０５は、この制御回路３０６の制御により、無線機回路３０３、３０４の何れかを接続状態にする。
【００４１】
そして、スイッチ３０５は、無線機回路３０３が接続状態である場合には、アンテナ３０１によって受信され、無線機回路３０３を介して通信信号及び制御信号が入力されると、通信信号については、図示しないマイク、スピーカ、表示画面等に出力し、制御信号については制御回路３０６に出力する。同様に、スイッチ３０５は、無線機回路３０３が接続状態である場合には、アンテナ３０２によって受信され、無線機回路３０４を介して通信信号及び制御信号が入力されると、通信信号については、マイク、スピーカ、表示画面等に出力し、制御信号については制御回路３０６に出力する。
【００４２】
また、制御回路３０６は、システムＡのサービスエリア２０１内の各セルに送出されている受信レベル測定用チャネルの受信レベルを測定するとともに、当該受信レベル測定用チャネルに含まれるセルの識別情報としてのセルコードを抽出する。同様に、制御回路３０６は、システムＢのサービスエリア２０２内の各セルに送出されている受信レベル測定用チャネルの受信レベルを測定するとともに、当該受信レベル測定用チャネルに含まれるセルの識別情報としてのセルコードを抽出する。
【００４３】
次に、制御回路３０６は、上述した受信レベル及びセルコードにより構成されるセル品質情報を含んだ通信開始要求信号を、スイッチ３０３、無線機回路３０３及びアンテナ３０１を介して、利用している移動通信サービスの提供元であるシステムＡの基地局２０４へ送信する。
【００４４】
図４は、セル品質情報のフォーマットの一例を示す図である。同図に示すように、セル品質情報は、移動局２０３が利用している移動通信サービスの提供元である通信サービスシステム（ここではシステムＡ）によって構成されるセル毎に、当該セルのセルコード（利用中セルコード）と、当該セルに送出されている信号である受信レベル測定用チャネルの移動局２０３における受信レベル（利用中セル受信レベル）とともに、移動局２０３が利用していない移動通信サービスの提供元である通信サービスシステム（ここではシステムＢ）によって構成されるセルについて、当該セルの識別情報としてのセルコード（非利用中セルコード）と、当該セルに送出されている受信レベル測定用チャネルの移動局における受信レベル（非利用中セル受信レベル）とにより構成される。
【００４５】
図５は、通信ネットワーク２２０内の基地局の構成例を示す図である。なお、図５では、システムＡ内の基地局２０４を例にとっているが、システムＢ内の基地局２０５も同様の構成を有している。同図に示すように、基地局２０４は、移動局２０３と通信を行うためのアンテナ４０１と、移動局２０３との間で送受信される信号を変復調するための無線機回路４０２と、通信信号と制御信号とを分離するための分離回路４０３と、交換局との間で通信信号を送受信する音声／データ処理装置インターフェース（Ｉ／Ｆ）４０４と、交換局との間で制御信号を送受信する制御装置インターフェース（Ｉ／Ｆ）４０５とを備える。なお、図５に示す各構成要素を結ぶ実線部は、音声情報等の通信信号の伝送路を示し、破線部は通話開始要求信号等の制御信号の伝送路を示す。
【００４６】
移動局２０３から送信される信号は、システムＡ基地局２０４、システムＢ２０５によって受信される。システムＡ基地局２０４は、受信した信号のうち、制御信号をシステムＡ制御装置２０８へ出力し、音声信号をシステムＡ音声処理装置２１０へ出力する。同様に、システムＢ基地局２０５は、受信した信号のうち、制御信号をシステムＢ制御装置２０９へ出力し、音声信号をシステムＢ音声処理装置２１１へ出力する。
【００４７】
システムＡ制御装置２０６はセル選択処理部２０８を備える。このシステムＡ制御装置２０６は、入力した通信開始要求信号に含まれるセル品質情報に基づいて、セルに対応する通信チャネルの設定が可能であるか否かを判定し、可能であれば、そのセルを選択する。
【００４８】
図６は、システムＡ制御装置２０６内に構成されるセル選択処理部２０８の構成例を示す図である。なお、図６では、システムＡ制御装置２０６内のセル選択処理部２０８を例にとっているが、システムＢ制御装置２０７内のセル選択処理部２０９も同様の構成を有する。
【００４９】
同図に示すように、セル選択処理部２０８は、入力インターフェース部５０１、セルコードバッファ部５０２、自システムセル選択部５０３、セルコードフィルタ部５０４、出力インターフェース部５０５及び別システムセル選択部５０６を備える。
【００５０】
入力インターフェース部５０１は、移動局から基地局を介して送信される通信開始要求信号に含まれるセル品質情報を入力し、自システムセル選択部５０３に出力するとともに、当該セル品質情報に含まれるセルコードをセルコードバッファ部５０２に出力する。
【００５１】
セルコードバッファ部５０２は、入力したセルコードを一時的に格納する。自システムセル選択部５０３は、入力したセル品質情報のうち、自システム（ここではシステムＡ）によって構成されるセルに対応するセル品質情報に基づいて、当該自システムによって構成されるセルについて、そのセルに送出されている受信レベル測定用チャネルの移動局２０３における受信レベルが高い順に、通信チャネルの設定が可能であるか否かを判定する。例えば、自システムによって構成される所定のセルについて設定されている通信チャネルが全て使用中である場合には、自システムセル選択部５０３は、通信チャネルの設定が不可であると判定する。
【００５２】
自システムによって構成されるセルについて、通信チャネルの設定が可能である場合には、自システムセル選択部５０３は、そのセルを選択し、選択結果をセルコードフィルタ部５０４へ出力する。
【００５３】
一方、自システムによって構成されるセルについて、通信チャネルの設定が不可である場合には、自システムセル選択部５０３は、入力したセル品質情報のうち、別システム（ここではシステムＢ）に対応するセル品質情報を別システムセル選択部５０６へ出力する。
【００５４】
別システムセル選択部５０６は、入力した別システムによって構成されるセルに対応するセル品質情報に基づいて、当該別システムによって構成されるセルについて、そのセルに送出されている受信レベル測定用チャネルの移動局２０３における受信レベルが高い順に、通信チャネルの設定が可能であるか否かを判定する。
【００５５】
別システムによって構成されるセルについて、通信チャネルの設定が可能である場合には、別システムセル選択部５０６は、そのセルを選択し、選択結果をセルコードフィルタ部５０４へ出力する。一方、別システムによって構成されるセルについて、通信チャネルの設定が可能である場合には、別システムセル選択部５０６は、通信開始可能なセルがない旨の通知を、セルコードフィルタ部１０４を介して出力インターフェース部５０５へ出力する。
【００５６】
セルコードフィルタ部５０４は、自システムセル選択部５０３によるセルの選択結果あるいは別システムセル選択部５０６によるセルの選択結果に基づいて、選択されたセルのセルコードをセルコードバッファ部５０２から読み出し、出力インターフェース部５０５へ出力する。
【００５７】
出力インターフェース部５０５は、別システムセル選択部５０６によって別システムのセルが選択された場合には、入力したセルコードを通信開始準備要求信号とともに、その別システムであるシステムＢにおいて移動局２０３との通信を制御するシステムＢ制御装置２０７に対して送信する。
【００５８】
また、出力インターフェース部５０５は、別システムセル選択部５０６から通信開始可能なセルがない旨の通知を受けた場合には、その通知を、システムＢ制御装置２０７に対して送信する。
【００５９】
別システムであるシステムＢの制御装置２０７は、受信したセルコードに対応するシステムＢ基地局２０５に対して、通信開始準備要求信号を送信し、通信開始準備が完了すると、その旨をシステムＡ制御装置２０６へ送信する。
【００６０】
システムＡ制御装置２０６は、通信開始要求信号を送信したシステムＡ基地局２０４を介し、移動局２０３に対して、通信開始応答信号を送信するとともに、選択したセルのセルコードを送信する。その後、移動局２０３と、選択されたセルに対応するシステムＢ基地局２０５との間で、同期確立等の所定の通信開始手順が行われ、通信が開始される。
【００６１】
次に、図７に示すシーケンス図を参照しつつ、移動局２０３が利用する移動通信サービスの提供元が通信ネットワーク２２０内のシステムＡからシステムＢに切り替わる場合を例に、移動通信システムの動作を説明する。
【００６２】
図７に示すように、移動局２０３は、システムＡのサービスエリア２０１内の各セルに送出されている受信レベル測定用チャネルの受信レベルを測定するとともに、システムＢのサービスエリア２０２内の各セルに送出されている受信レベル測定用チャネルの受信レベルを測定する（ステップ１０１）。次に移動局２０３は、これら測定した受信レベルと受信レベル測定用チャネルに含まれるセルコードとより構成されるセル品質情報を含んだ通信開始要求信号を、システムＡ基地局２０４を介してシステムＡ制御装置２０６へ送信する（ステップ１０２）。
【００６３】
システムＡ制御装置２０６は、受信した通信開始要求信号に含まれるセル品質情報のうち、自システムによって構成されるセルに対応するセル品質情報に基づいて、当該自システムによって構成されるセルについて、そのセルに送出されている受信レベル測定用チャネルの移動局２０３における受信レベルが高い順に、通信チャネルの設定が可能であるか否かを判定する。そして、自システムによって構成されるセルについて、通信チャネルの設定が不可である場合には、システムＡ制御装置２０６は、受信したセル品質情報のうち、システムＢに対応するセル品質情報に基づいて、当該別システムによって構成されるセルについて、そのセルに送出されている受信レベル測定用チャネルの移動局２０３における受信レベルが高い順に、通信チャネルの設定が可能であるか否かを判定する。
【００６４】
システムＢによって構成されるセルについて、通信チャネルの設定が可能である場合（ステップ１０３）には、システムＡ制御装置２０６は、そのセルを選択し、その選択したセルのセルコードを、通信開始準備要求信号とともに、システムＢ制御装置２０７に対して送信する（ステップ１０４）。
【００６５】
システムＢ制御装置２０７は、受信したセルコードに対応するシステムＢ基地局２０５に対して、通信開始準備要求信号を送信し（ステップ１０５）、システムＢ基地局２０５より通信開始準備が完了した旨の報告を受けた場合（ステップ１０６）には、その旨をシステムＡ制御装置２０６へ送信する（ステップ１０７）。
【００６６】
システムＡ制御装置２０６は、通信開始要求信号を送信したシステムＡ基地局２０４を介し、移動局２０３に対して、通信開始応答信号を送信するとともに、選択したセルのセルコードを送信する（ステップ１０８）。その後、移動局２０３と、選択されたセルに対応するシステムＢ基地局２０５との間で、同期確立等の所定の通信開始手順が行われ、通信が開始される（ステップ１０９）。
（第２実施例）
第２実施例において、移動局２０３は、図３と同様の構成を有する。但し、制御回路３０６は、システムＡ制御装置２０６からの要求がない限り、システムＢのサービスエリア２０２内の各セルに送出されている受信レベル測定用チャネルの受信レベルを測定と、当該受信レベル測定用チャネルに含まれるセルコードの抽出とを行わず、システムＡのサービスエリア２０１内の各セルに送出されている受信レベル測定用チャネルの受信レベルを測定と、当該受信レベル測定用チャネルに含まれるセルコードの抽出のみを行う。
【００６７】
また、制御回路３０６は、上述した受信レベル及びセルコードにより構成されるセル品質情報を含んだ通信開始要求信号を、スイッチ３０３、無線機回路３０３及びアンテナ３０１を介して、利用している移動通信サービスの提供元であるシステムＡの基地局２０４へ送信する。
【００６８】
図８は、通信開始要求信号に含まれるセル品質情報のフォーマットの一例を示す図である。同図に示すように、セル品質情報は、移動局２０３が利用している移動通信サービスの提供元である通信サービスシステム（ここではシステムＡ）によって構成されるセル毎に、当該セルのセルコード（利用中セルコード）と、当該セルに送出されている信号である受信レベル測定用チャネルの移動局２０３における受信レベル（利用中セル受信レベル）とにより構成される。
【００６９】
通信ネットワーク２２０内の基地局は、図３と同様の構成を有する。移動局２０３から送信される信号は、システムＡ基地局２０４、システムＢ２０５によって受信される。システムＡ基地局２０４は、受信した信号のうち、制御信号をシステムＡ制御装置２０８へ出力し、音声信号をシステムＡ音声処理装置２１０へ出力する。同様に、システムＢ基地局２０５は、受信した信号のうち、制御信号をシステムＢ制御装置２０９へ出力し、音声信号をシステムＢ音声処理装置２１１へ出力する。
【００７０】
システムＡ制御装置２０６はセル選択処理部２０８を備える。このシステムＡ制御装置２０６は、入力した通信開始要求信号に含まれるセル品質情報に基づいて、セルに対応する通信チャネルの設定が可能であるか否かを判定し、可能であれば、そのセルを選択する。
【００７１】
図９は、システムＡ制御装置２０６内に構成されるセル選択処理部２０８の構成例を示す図である。なお、図９では、システムＡ制御装置２０６内のセル選択処理部２０８を例にとっているが、システムＢ制御装置２０７内のセル選択処理部２０９も同様の構成を有する。
【００７２】
同図に示すように、セル選択処理部２０８は、入力インターフェース部６０１、自システムセルコードバッファ部６０２、自システムセル選択部６０３、自セルコードフィルタ部６０４、出力インターフェース部６０５、別システムセル品質情報要求部６０６、入力インターフェース部６０７、自システムセルコードバッファ部６０２、自システムセル選択部６０３、自システムセルコードフィルタ部６０４、出力インターフェース部６０５、別システムセル品質情報要求部６０６、入力インターフェース部６０７、別システムセルコードバッファ部６０８、別システムセル選択部６０９及び別システムセルコードフィルタ部６１０を備える。
【００７３】
入力インターフェース部６０１は、移動局２０３からシステムＡ基地局２０４を介して送信される通信開始要求信号に含まれる、自システム（ここではシステムＡ）によって構成されるセルに対応するセル品質情報を入力し、自システムセル選択部６０３に出力するとともに、当該セル品質情報に含まれるセルコードを自システムセルコードバッファ部６０２に出力する。
【００７４】
自システムセルコードバッファ部６０２は、入力したセルコードを一時的に格納する。自システムセル選択部６０３は、入力した自システムによって構成されるセルに対応するセル品質情報に基づいて、当該自システムによって構成されるセルについて、そのセルに送出されている受信レベル測定用チャネルの移動局２０３における受信レベルが高い順に、通信チャネルの設定が可能であるか否かを判定する。
【００７５】
自システムによって構成されるセルについて、通信チャネルの設定が可能である場合には、自システムセル選択部６０３は、そのセルを選択し、選択結果を自システムセルコードフィルタ部６０４へ出力する。
【００７６】
一方、自システムによって構成されるセルについて、通信チャネルの設定が不可である場合には、自システムセル選択部６０３は、予め記憶している別システム（ここではシステムＢ）によって構成されるセルのセルコードを別システムセル品質情報要求部６０６へ出力する。
【００７７】
別システムセル品質情報要求部６０６は、入力した別システムであるシステムＢによって構成されるセルのセルコードを品質情報要求信号として、システムＡ基地局２０４を介して移動局２０３へ送信する。
【００７８】
移動局２０３の制御回路３０６は、この品質情報要求信号としてのシステムＢによって構成されるセルのセルコードをアンテナ３０１、無線機回路３０３及びスイッチ３０５を介して受信する。次に制御回路３０６は、受信したセルコードに対応するシステムＢのサービスエリア２０２内の各セルに送出されている受信レベル測定用チャネルの受信レベルを測定と、当該受信レベル測定用チャネルに含まれるセルコードの抽出とを行う。
【００７９】
次に制御回路３０６は、上述した受信レベル及びセルコードにより構成されるセル品質情報を含んだ品質情報応答信号を、スイッチ３０３、無線機回路３０２及びアンテナ３０１を介して、利用している移動通信サービスの提供元であるシステムＡの基地局２０４へ送信する。
【００８０】
図１０は、品質情報応答信号に含まれるセル品質情報のフォーマットの一例を示す図である。同図に示すように、セル品質情報は、移動局２０３が利用していない移動通信サービスの提供元である通信サービスシステム（ここではシステムＢ）によって構成されるセル毎に、当該セルのセルコード（非利用中セルコード）と、当該セルに送出されている信号である受信レベル測定用チャネルの移動局２０３における受信レベル非（利用中セル受信レベル）とにより構成される。
【００８１】
入力インターフェース部６０７は、移動局２０３からシステムＡ基地局２０４を介して送信される品質情報応答信号に含まれる、別システム（ここではシステムＢ）によって構成されるセルに対応するセル品質情報を入力し、別システムセル選択部６０７に出力するとともに、当該セル品質情報に含まれるセルコードを別システムセルコードバッファ部６０８に出力する。
【００８２】
別システムセルコードバッファ部６０８は、入力したセルコードを一時的に格納する。別システムセル選択部６０９は、入力した別システムによって構成されるセルに対応するセル品質情報に基づいて、当該別システムによって構成されるセルについて、そのセルに送出されている受信レベル測定用チャネルの移動局２０３における受信レベルが高い順に、通信チャネルの設定が可能であるか否かを判定する。
【００８３】
別システムによって構成されるセルについて、通信チャネルの設定が可能である場合には、別システムセル選択部６０９は、そのセルを選択し、選択結果を別システムセルコードフィルタ部６１０へ出力する。一方、別システムによって構成されるセルについて、通信チャネルの設定が不可である場合には、別システムセル選択部６０９は、通信開始可能なセルがない旨の通知を、別システムセルコードフィルタ部６１０を介して出力インターフェース部６０５へ出力する。
【００８４】
別システムセルコードフィルタ部６１０は、別システムセル選択部６１０によるセルの選択結果に基づいて、選択されたセルのセルコードを別システムセルコードバッファ部６０８から読み出し、出力インターフェース部６０５へ出力する。
【００８５】
出力インターフェース部６０５は、別システムセル選択部６０９によって別システムのセルが選択された場合には、入力したセルコードを通信開始準備要求信号とともに、その別システムであるシステムＢにおいて移動局２０３との通信を制御するシステムＢ制御装置２０７に対して送信する。
【００８６】
また、出力インターフェース部６０５は、別システムセル選択部６０９から通信開始可能なセルがない旨の通知を受けた場合には、その通知を、システムＢ制御装置２０７に対して送信する。
【００８７】
別システムであるシステムＢの制御装置２０７は、受信したセルコードに対応するシステムＢ基地局２０５に対して、通信開始準備要求信号を送信し、通信開始準備が完了すると、その旨をシステムＡ制御装置２０６へ送信する。
【００８８】
システムＡ制御装置２０６は、通信開始要求信号を送信したシステムＡ基地局２０４を介し、移動局２０３に対して、通信開始応答信号を送信するとともに、選択したセルのセルコードを送信する。その後、移動局２０３と、選択されたセルに対応するシステムＢ基地局２０５との間で、同期確立等の所定の通信開始手順が行われ、通信が開始される。
【００８９】
次に、図１１に示すシーケンス図を参照しつつ、移動局２０３が利用する移動通信サービスの提供元が通信ネットワーク２２０内のシステムＡからシステムＢに切り替わる場合を例に、移動通信システムの動作を説明する。
【００９０】
図１１に示すように、移動局２０３は、システムＡのサービスエリア２０１内の各セルに送出されている受信レベル測定用チャネルの受信レベルを測定する（ステップ２０１）。次に移動局２０３は、この測定した受信レベルと受信レベル測定用チャネルに含まれるセルコードとより構成されるセル品質情報を含んだ通信開始要求信号を、システムＡ基地局２０４を介してシステムＡ制御装置２０６へ送信する（ステップ２０２）。
【００９１】
システムＡ制御装置２０６は、受信した通信開始要求信号に含まれる、自システムによって構成されるセルに対応するセル品質情報に基づいて、当該自システムによって構成されるセルについて、そのセルに送出されている受信レベル測定用チャネルの移動局２０３における受信レベルが高い順に、通信チャネルの設定が可能であるか否かを判定する。そして、自システムによって構成されるセルについて、通信チャネルの設定が不可である場合（ステップ２０３）には、システムＡ制御装置２０６は、システムＢによって構成されるセルのセルコードを品質情報要求信号として、システムＡ基地局２０４を介して移動局２０３へ送信する（ステップ２０４）。
【００９２】
この品質情報要求信号としてのシステムＢによって構成されるセルのセルコードを受信した移動局２０３は、当該セルコードに対応するシステムＢのサービスエリア２０２内の各セルに送出されている受信レベル測定用チャネルの受信レベルを測定する（ステップ２０５）。次に移動局２０３は、この測定した受信レベルと受信レベル測定用チャネルに含まれるセルコードとより構成されるセル品質情報を含んだ品質情報応答信号を、システムＡ基地局２０４を介してシステムＡ制御装置２０６へ送信する（ステップ２０６）。
【００９３】
システムＡ制御装置２０６は、受信したシステムＢに対応するセル品質情報に基づいて、当該別システムによって構成されるセルについて、そのセルに送出されている受信レベル測定用チャネルの移動局２０３における受信レベルが高い順に、通信チャネルの設定が可能であるか否かを判定する。
【００９４】
システムＢによって構成されるセルについて、通信チャネルの設定が可能である場合（ステップ２０７）には、システムＡ制御装置２０６は、そのセルを選択し、その選択したセルのセルコードを、通信開始準備要求信号とともに、システムＢ制御装置２０７に対して送信する（ステップ２０８）。
【００９５】
システムＢ制御装置２０７は、受信したセルコードに対応するシステムＢ基地局２０５に対して、通信開始準備要求信号を送信し（ステップ２０９）、システムＢ基地局２０５より通信開始準備が完了した旨の報告を受けた場合（ステップ２１０）には、その旨をシステムＡ制御装置２０６へ送信する（ステップ２１１）。
【００９６】
システムＡ制御装置２０６は、通信開始要求信号を送信したシステムＡ基地局２０４を介し、移動局２０３に対して、通信開始応答信号を送信するとともに、選択したセルのセルコードを送信する（ステップ２１２）。その後、移動局２０３と、選択されたセルに対応するシステムＢ基地局２０５との間で、同期確立等の所定の通信開始手順が行われ、通信が開始される（ステップ２１３）。
【００９７】
このように、本実施形態の移動通信システム２００では、通信ネットワーク２２０は、まず移動局２０３が利用している移動通信サービスの提供元であるシステムによって構成されるセルの選択を試み、選択できなかった場合に、移動局２０３が利用していない移動通信サービスの提供元であるシステムによって構成されるセルの選択を試みる。従って、移動局２０３に移動通信サービスを提供中のシステムによって構成されるセルの方が移動局２０３に移動通信サービスを提供していないシステムによって構成されるセルよりも優先的に選択されるため、移動局２０３が利用する移動通信サービスの提供元のシステムが切り替わる頻度が従来よりも減少する。即ち、システムが切り替わる際の通信開始手順に伴い、移動局２０３に負荷がかかってバッテリーの持続時間が短縮したり、システム間でやり取りされる信号数が増大してシステム容量の圧迫が生じる頻度が減少し、移動局２０３及び通信ネットワーク２２０の負荷を軽減することができる。
【００９８】
なお、上述した実施形態では、移動局２０３は、当初システムＡが提供する移動通信サービスを受けているものとして説明したが、当初システムＢが提供する移動通信サービスを受けている場合においても同様に考えることができる。
【００９９】
上記各実施形態において、セル選択処理部２０８内の自システムセル選択部５０３、６０３が自システムセル選択手段に対応し、別システムセル選択部５０６、６０９が別システムセル選択手段に対応する。また、セル選択処理部２０８内の入力インターフェース部６０１が自システムセル品質情報取得手段に対応し、別システムセル品質情報要求部６０６及び入力インターフェース部６０７が別システムセル品質情報取得手段に対応する。
【０１００】
更に、移動局２０３内の制御回路３０６が第１及び第２の説品質情報取得手段に対応し、アンテナ３０２及び無線機回路３０３が第１及び第２のセル品質情報送信手段に対応する。
【０１０１】
【発明の効果】
上述の如く、請求項１、４及び６に記載された発明によれば、移動局に移動通信サービスを提供中の通信サービスシステムによって構成されるセルの方が移動局に移動通信サービスを提供していない通信サービスシステムによって構成されるセルよりも優先的に選択されるため、移動局が利用する移動通信サービスの提供元のシステムが切り替わる頻度が従来よりも減少する。即ち、システムが切り替わる際の通信開始手順に伴い、移動局に負荷がかかってバッテリーの持続時間が短縮したり、システム間でやり取りされる信号数が増大してシステム容量の圧迫が生じる頻度が減少し、移動局及び通信ネットワークの負荷を軽減することができる。
【０１０２】
また、請求項２、５及び７に記載された発明によれば、移動局に移動通信サービスを提供中の通信サービスシステムは、自システムが構成するセルが選択不能な場合に、初めて移動局に対して別システムによって構成されるセルの品質情報を要求し、移動局はその要求があった場合にのみ、別システムによって構成されるセルの品質情報の取得して送信するようにすることができるため、移動局におけるセルの品質情報の取得のための処理負担の軽減を図ることができる。
【０１０３】
また、請求項３に記載された発明によれば、セルの品質情報を移動局における該セルに対応する受信レベル測定用チャネルの受信レベルとすることにより、セルの品質を的確に表すことが可能になる。
【０１０４】
更に、請求項８に記載された発明によれば、移動局は、通信ネットワークが当該移動局によって利用されていない移動通信サービスを提供する通信サービスシステムによって構成されるセルの品質情報を要求した場合にのみ、そのセルの品質情報を取得して送信するようにするため、移動局におけるセルの品質情報の取得のための処理負担の軽減を図ることができる。
【図面の簡単な説明】
【図１】従来の制御装置に構成されるセル選択処理部の構成例を示す図である。
【図２】本実施形態の移動通信システムの構成例を示す図である。
【図３】本実施形態の移動局の構成例を示す図である。
【図４】第１実施例におけるセル品質情報のフォーマットの一例を示す図である。
【図５】本実施形態における基地局の構成例を示す図である。
【図６】第１実施例における制御装置に構成されるセル選択処理部の構成例を示す図である。
【図７】第１実施例における移動通信システムの動作を示すシーケンス図である。
【図８】第２実施例におけるセル品質情報のフォーマットの一例を示す図である。
【図９】第２実施例における制御装置に構成されるセル選択処理部の構成例を示す図である。
【図１０】第２実施例におけるセル品質情報のフォーマットの他の例を示す図である。
【図１１】第２実施例における移動通信システムの動作を示すシーケンス図である。
【符号の説明】
２００  移動通信システム
２０１、２０２  サービスエリア
２０３  移動局
２０４、２０５  基地局
２０６、２０７  制御装置
２０８、２０９  セル選択処理部
２１０、２１１  音声処理装置
２１２  交換局
２２０  通信ネットワーク
３０１、３０２、４０１  アンテナ
３０３、３０４、４０２  無線機回路
３０５  スイッチ
３０６  制御回路
４０３  分離回路
４０４  音声／データ処理装置Ｉ／Ｆ
４０５  制御装置Ｉ／Ｆ
５０１、６０１、６０７  入力インターフェース部
５０２  セルコードバッファ部
５０３、６０３  自システムセル選択部
５０４  セルコードフィルタ部
５０５、６０５  出力インターフェース部
６０２  自システムセルコードバッファ部
６０４  自システムセルコードフィルタ部
６０６  別システムセル品質情報要求部
６０７  別システムセルコードバッファ部
６０８  別システムセルコードフィルタ部
【図１】
0003613394.tif 000002
【図２】
0003613394.tif 000003
【図３】
0003613394.tif 000004
【図４】
0003613394.tif 000005
【図５】
0003613394.tif 000006
【図６】
0003613394.tif 000007
【図７】
0003613394.tif 000008
【図８】
0003613394.tif 000009
【図９】
0003613394.tif 000010
【図１０】
0003613394.tif 000011
【図１１】
0003613394.tif 000012